(57)【要約】【課題】信頼性の高いカメラモジュールを提供する。【解決手段】実施形態によれば、基板と、保持部と、を含むカメラモジュールが提供される。前記保持部は、前記基板上に設けられる。前記保持部はレンズを保持する。前記保持部は、外縁部に複数の突起部を含む。前記基板は、前記複数の突起部を介して前記保持部に接合される。【選択図】図１
2015184311.tif 000002
【特許請求の範囲】
【請求項１】
基板と、
前記基板上に設けられレンズを保持する保持部であって、外縁部に複数の突起部を含む保持部と、
を備え、
前記基板は、前記複数の突起部を介して前記保持部に接合されるカメラモジュール。
【請求項２】
前記保持部は、３個以上の突起部を含む請求項１記載のカメラモジュール。
【請求項３】
前記複数の突起部は、前記保持部の外周に設けられる請求項１または２に記載のカメラモジュール。
【請求項４】
前記保持部内に収納され、前記レンズの下方に配置された撮像部をさらに備え、
前記撮像部は、矩形状を有し、
前記複数の突起部は、前記撮像部の辺に沿って設けられる請求項１〜３のいずれかに記載のカメラモジュール。
【請求項５】
前記複数の突起部は、前記撮像部の各辺に沿って設けられる請求項４記載のカメラモジュール。
【請求項６】
前記複数の突起部の形状は、四角柱である請求項１〜５のいずれかに記載のカメラモジュール。
【請求項７】
前記複数の突起部の形状は、四角錘、円錐または曲面を有する凸形状である請求項１〜５のいずれかに記載のカメラモジュール。
【請求項８】
前記外縁部に沿って前記基板と前記保持部とを接着する接着部をさらに備え、
前記複数の突起部間に前記接着部が設けられる請求項１〜７のいずれかに記載のカメラモジュール。
【請求項９】
前記基板から前記保持部に向かう第１方向の前記複数の突起部の厚さと、前記第１方向の前記接着部の厚さと、は、略同じである請求項８記載のカメラモジュール。
【請求項１０】
前記基板から前記保持部に向かう第１方向の前記複数の突起部の厚さは、前記第１方向に垂直な第２方向の前記保持部の幅の０．１倍より大きい請求項８または９に記載のカメラモジュール。
【発明の詳細な説明】
【技術分野】
【０００１】
本発明の実施形態は、カメラモジュールに関する。
【背景技術】
【０００２】
撮像装置のひとつとして、撮像素子及び撮像用レンズを一体化しているカメラモジュールがある。このようなカメラモジュールは、パーソナルコンピュータ又は携帯電話機等に用いられている。
【０００３】
撮像素子及び撮像用レンズは、接着部等を介して基板上に設けられている。信頼性の高いカメラモジュールが望まれる。
【先行技術文献】
【特許文献】
【０００４】
【特許文献１】特開２００６−３５０３７２号公報
【発明の概要】
【発明が解決しようとする課題】
【０００５】
本発明の実施形態は、信頼性の高いカメラモジュールを提供する。
【課題を解決するための手段】
【０００６】
本発明の実施形態によれば、基板と、保持部と、を含むカメラモジュールが提供される。前記保持部は、前記基板上に設けられる。前記保持部はレンズを保持する。前記保持部は、外縁部に複数の突起部を含む。前記基板は、前記複数の突起部を介して前記保持部に接合される。
【図面の簡単な説明】
【０００７】
【図１】図１（ａ）及び図１（ｂ）は、第１の実施形態に係るカメラモジュールを示す模式図である。
【図２】図２（ａ）及び図２（ｂ）は、第１の実施形態に係るカメラモジュールの一部を示す模式図である。
【図３】図３（ａ）及び図３（ｂ）は、第２の実施形態に係るカメラモジュールの一部を示す模式図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１（ａ）及び図１（ｂ）は、第１の実施形態に係るカメラモジュールを例示する模式図である。  
図２（ａ）及び図２（ｂ）は、第１の実施形態に係るカメラモジュールの一部を例示する模式図である。
【００１０】
図１（ａ）は、カメラモジュール１００の断面図である。図１（ｂ）は、カメラモジュール１００の分解図である。図２（ａ）は、カメラモジュール１００を上から見た場合、カメラモジュール１００の一部の平面図である。図２（ｂ）は、図２（ａ）のＡ１−Ａ２線断面図である。
【００１１】
図１（ａ）に表されたように、カメラモジュール１００には、基板１０と、撮像素子（撮像部）２０と、撮像用レンズ（レンズ）３０と、バレル４０と、ホルダ（保持部）５０と、フィルタ６０と、筐体７０と、が設けられている。図面に示されている接着領域８０ａ〜８０ｅは、接着剤（接着部）８０が塗布されている領域である。撮像素子２０は、撮像部に対応する。撮像用レンズ３０及びバレル４０は、光学部に対応する。
【００１２】
本実施形態では、撮像素子２０及び撮像用レンズ３０が各々２つ設けられている多眼用のカメラモジュールである。撮像素子２０及び撮像用レンズ３０の各個数は、１つでも良く、３つ以上でも良い。
【００１３】
基板１０は、例えば、プリント配線板である。基板１０上に、撮像部及び光学部が順に設けられている。例えば、基板１０上に配線パターンが形成される。
【００１４】
撮像素子２０は、例えば、イメージセンサである。撮像素子２０は、映像からの光信号を電気信号に変換する素子である。撮像素子２０の形状は、例えば、矩形状である。
【００１５】
接着領域８０ａに接着剤８０が塗布されることで、撮像素子２０は、基板１０に接合する。接着領域８０ａは、撮像素子２０と基板１０とを接合する領域である。接着領域８０ａに塗布される接着剤８０は、例えば、一液性加熱硬化型接着剤である。例えば、接着剤８０は、ダイボンド用一液性加熱硬化型接着剤である。接着剤８０は、例えば、一液性エポキシ樹脂である。一液性加熱硬化型接着剤は、加熱することで硬化して対象物を接合する。
【００１６】
撮像用レンズ３０は、バレル４０に収納されている。バレル４０の周辺には、バレル４０を固定して内部に保持するホルダ５０が設けられている。撮像用レンズ３０は、例えば、ホルダ５０に保持される。
【００１７】
接着領域８０ｂに接着剤８０が塗布されることで、バレル４０は、ホルダ５０に接合する。接着領域８０ｂは、バレル４０とホルダ５０とを接合する領域である。接着領域８０ｂに塗布される接着剤８０は、例えば、紫外線・熱硬化併用型接着剤である。紫外線・熱硬化併用型接着剤は、紫外線硬化と熱硬化で対象物を接合する。
【００１８】
接着領域８０ｃに接着剤８０が塗布されることで、ホルダ５０は、基板１０に接合する。接着領域８０ｃは、ホルダ５０と基板１０とを接合する領域である。接着領域８０ｃに塗布される接着剤８０は、例えば、一液性加熱硬化型接着剤である。例えば、接着剤８０は、一液性エポキシ樹脂である。ホルダ５０の外縁部５０ａにおいて、ホルダ５０は、接着剤８０を介して基板１０と接合する。
【００１９】
バレル４０と撮像素子２０との間には、フィルタ６０が設けられている。ホルダ５０の周辺には、ホルダ５０を固定して内部に保持する筐体７０が設けられている。
【００２０】
フィルタ６０は、例えば、ＩＲフィルタである。筐体７０は、例えば、シールドケースである。
【００２１】
接着領域８０ｄに接着剤８０が塗布されることで、フィルタ４０は、ホルダ５０に接合する。接着領域８０ｄは、フィルタ４０とホルダ５０とを接合する領域である。接着領域８０ｄに塗布される接着剤８０は、例えば、一液性加熱硬化型接着剤である。例えば、接着剤８０は、一液性エポキシ樹脂である。
【００２２】
接着領域８０ｅに接着剤８０が塗布されることで、筐体７０は、基板１０に接合する。接着領域８０ｅは、筐体７０と基板１０とを接合する領域である。接着領域８０ｅに塗布される接着剤８０は、例えば、一液性加熱硬化型接着剤である。例えば、接着剤８０は、一液性エポキシ樹脂である。例えば、接着領域８０ｃ、接着領域８０ｄ及び接着領域８０ｅに塗布される接着剤８０は、同種類の接着剤である。
【００２３】
図１（ｂ）に表されたように、基板１０とホルダ５０とを接合するために、接着剤８０が基板１０に塗布されている。図１（ｂ）に示された接着剤８０が塗布された領域は、図１（ａ）に示された接着領域８０ｃに対応する。
【００２４】
図２（ａ）及び図２（ｂ）に表されたように、複数の突起部５０ｐがホルダ５０に設けられている。複数の突起部５０ｐがホルダ５０の外縁部５０ａに設けられている。複数の突起部５０ｐを外縁部５０ａに設けた状態で、基板１０とホルダ５０とは、接着剤８０を介して接合される。基板１０とホルダ５０とが接合された状態において、複数の突起部５０ｐは、基板１０に立設されている。基板１０は、複数の突起部５０ｐを介してホルダ５０に接合される。
【００２５】
突起部５０ｐの形状は、例えば、四角柱である。突起部５０ｐの形状に、四角錘、円錐又は球等の任意の形状が用いられる。突起部５０ｐの形状に、四角錘、円錐又は凸の曲面を有する例えば球等を用いると、接着剤８０がホルダ５０と基板１０とに接触する面積が増大するので、突起部５０ｐ周辺の接着剤８０のぬれ性が向上する。また、突起部５０ｐと基板１０との間に発生するボイドを低減することが出来、接続信頼性を向上させることが可能となる。
【００２６】
突起部５０ｐの厚さＴ１は、例えば、任意に設定できる。突起部５０ｐの厚さＴ１を以下の式（１）のように設定できる。
【００２７】
Ｔ１＞Ｌ×０．１・・・（１）
【００２８】
Ｌは、ホルダ５０の幅である。突起部５０ｐの厚さＴ１を式（１）のように設定すると、ホルダ５０と基板１０との収縮差が吸収される。基板１０からホルダ５０に向かう方向（第１方向）の突起部５０ｐの厚さＴ１は、基板１０からホルダ５０に向かう方向に垂直な方向（第２方向）のホルダ５０の幅Ｌの０．１倍より大きい。
【００２９】
例えば、突起部５０ｐの厚さＴ１は、接着剤８０の厚さＴ２と略同じにしても良い。基板１０からホルダ５０に向かう方向（第１方向）について、突起部５０ｐの厚さＴ１と、接着剤８０の厚さＴ２とは、略同じにしても良い。突起部５０ｐが剥離した場合に容易に確認できる。
【００３０】
ホルダ５０の中央部５０ｃには、撮像素子２０等が配置されている。突起部５０ｐは、ホルダ５０の外縁部５０ａに複数個設けられている。例えば、ホルダ５０の外周に接するように複数の突起部５０ｐが設けられる。突起部５０ｐが剥離した場合に容易に確認できる。
【００３１】
本実施形態のように、ホルダ５０の外縁部５０ａに突起部５０ｐを複数個設けることで、接着剤８０の厚さＴ２を厚くできる。
【００３２】
ホルダ５０と基板２０との接合にホルダ５０の外縁部５０ａに複数の突起部５０ｐを設けない場合、接着剤８０の厚さが均一になり難い。接着剤８０の厚さが不均一であると、ホルダ５０が傾いてしまう。バレル４０、及び、バレル４０に収納されている撮像用レンズ３０が傾く場合がある。
【００３３】
また、複数の突起部５０ｐを設けない場合、接着剤８０の厚さを厚く形成できない。接着剤８０によってホルダ５０と基板２０とを接合する際に生じるヒートサイクルによって、カメラモジュールの構成部品の熱伸縮差による剥離又はひずみが発生する。撮像素子２０及び撮像用レンズ３０が各々２つ設けられている多眼用のカメラモジュールにおいて、このような剥離及びひずみの影響は大きい。
【００３４】
本実施形態のように、ホルダ５０と基板２０との接合にホルダ５０の外縁部５０ａに複数の突起部５０ｐを設ける場合、突起部５０ｐの厚さＴ１によって接着剤８０の厚さＴ２を厚くできる。接着剤８０の厚さＴ２を厚くできるので、ヒートショックでの線膨張差の吸収マージンが拡大する。基板１０とホルダ５０との接触する面積が減少するので、ホルダ５０が安定してホルダ５０が傾く可能性が減少する。
【００３５】
本実施形態では、ホルダ５０の外縁部５０ａに３つの突起部５０ｐが設けられている。ホルダ５０の外縁部５０ａに２つの突起部５０ｐが設けられても良い。ホルダ５０の外縁部５０ａに４つ以上の突起部５０ｐが設けられても良い。基板１０及び撮像素子２０の周辺に、接着剤８０の硬化収縮によって反り又はひずみが発生し易い。本実施形態のように、ホルダ５０の外縁部５０ａに３つ以上の突起部５０ｐが設けられると、接着剤８０の硬化収縮によって発生する反り又はひずみの影響を軽減できる。
【００３６】
本実施形態によれば、信頼性の高いカメラモジュールが提供される。
【００３７】
（第２の実施形態）
図３（ａ）及び図３（ｂ）は、第２の実施形態に係るカメラモジュールの一部を例示する模式図である。  
【００３８】
図３（ａ）は、カメラモジュール１００を上から見た場合、カメラモジュール１００の一部の平面図である。図３（ｂ）は、図３（ａ）のＡ１−Ａ２線断面図である。
【００３９】
図３（ａ）及び図３（ｂ）に表されたように、複数の突起部５０ｐがホルダ５０に設けられている。複数の突起部５０ｐがホルダ５０の外縁部５０ａに設けられている。複数の突起部５０ｐを外縁部５０ａに設けた状態で、基板１０とホルダ５０とは、接着剤８０を介して接合される。基板１０とホルダ５０とが接合された状態において、複数の突起部５０ｐは、基板１０に立設されている。基板１０は、複数の突起部５０ｐを介してホルダ５０に接合される。
【００４０】
撮像素子２０は、ホルダ５０の中央部５０ｃに配置されている。複数の突起部５０ｐは、ホルダ５０の外縁部５０ａに設けられている。また、突起部５０ｐに近い撮像素子２０の辺を第１辺、第１辺に接する辺を第２辺及び第３辺とした場合、複数の突起部５０ｐの各々は、外縁部５０ａと、第１辺と、第２辺及び第３辺の各々を延在した辺とで定められた領域内に設けられている。例えば、撮像素子２０の形状が矩形状である場合、第２辺及び第３辺は、第１辺に垂直な辺に相当する。複数の突起部５０ｐの各々は、撮像素子２０の辺に沿って設けられている。
【００４１】
接着剤８０の硬化収縮によって基板１０に反りが発生し、ひずむ場合がある。本実施形態のように、撮像素子２０をホルダ５０に設けると、基板１０とホルダ５０との間の反りを抑制し、ひずみを低減できる。
【００４２】
本実施形態によれば、信頼性の高いカメラモジュールが提供される。
【００４３】
以上、具体例を参照しつつ、本発明の実施の形態について説明した。しかし、本発明は、これらの具体例に限定されるものではない。例えば、カメラモジュールに含まれる基板、撮像素子、撮像用レンズ、バレル、ホルダ、フィルタ、筐体、接着剤、及び突起部などの各要素の具体的な構成に関しては、当業者が公知の範囲から適宜選択することにより本発明を同様に実施し、同様の効果を得ることができる限り、本発明の範囲に包含される。
また、各具体例のいずれか２つ以上の要素を技術的に可能な範囲で組み合わせたものも、本発明の要旨を包含する限り本発明の範囲に含まれる。
【００４４】
その他、本発明の実施の形態として上述したカメラモジュールを基にして、当業者が適宜設計変更して実施し得る全てのカメラモジュールも、本発明の要旨を包含する限り、本発明の範囲に属する。
【００４５】
その他、本発明の思想の範疇において、当業者であれば、各種の変更例及び修正例に想到し得るものであり、それら変更例及び修正例についても本発明の範囲に属するものと了解される。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１０…基板、  ２０…撮像素子、  ３０…撮像用レンズ、  ４０…バレル、  ５０…ホルダ、  ５０ａ…外縁部、  ５０ｃ…中央部、  ５０ｐ…突起部、  ６０…フィルタ、  ７０…筐体、  ８０…接着剤、  ８０ａ〜８０ｅ…接着領域、  Ｌ…幅、  Ｔ１、Ｔ２…厚さ
【図１】
2015184311.tif 000003
【図２】
2015184311.tif 000004
【図３】
2015184311.tif 000005